(57)【特許請求の範囲】
【請求項１】
自動膨張式タイヤ組立体において、
タイヤキャビティと、第１、第２のタイヤビード領域からタイヤトレッド領域へとそれぞれ延びる第１、第２のサイドウォールを有し、リムに取り付けられたタイヤと、
前記タイヤに接続された第１および第２の空気管であって、各空気管が空気通路を形成し、各空気管が、タイヤのフットプリントの近くの空気管部分の一部が環状の前記空気通路を実質的に開き、閉じることができるように作用する柔軟性のある材料からなる、第１および第２の空気管と、
各空気管の入口端に接続されている入口調整装置であって、前記入口調整装置は調整器胴体を含み、該調整器胴体は前記タイヤキャビティ内に位置する遠位端を有する外側ダクトを有し、該ダクトは、前記タイヤキャビティおよび前記調整器胴体の内部チャンバと流体連通する内部孔を有し、前記内部チャンバは、前記第１および第２の空気管の入口端に接続されている、前記調整器胴体内の２つの対向する通路に接続されている、入口調整装置と、
前記調整器胴体の前記内部チャンバ内に取り付けられた圧膜と、
前記調整器胴体の前記内部チャンバ内に取り付けられ、かつ前記圧膜と係合可能なフランジ端を有するインサートであって、前記フランジ端は内部キャビティを取り囲み、前記インサートは、上面であって、該上面から延び、かつ前記内部キャビティと流体連通している１つ以上の空気穴を有する上面を有し、前記インサートは前記内部キャビティと流体連通している２つの横導管をさらに有している、インサートと、
を有することを特徴とする自動膨張式タイヤ組立体。
【請求項２】
前記入口調整装置の一部が前記タイヤの外側面の一部を形成している、請求項１に記載の自動膨張式タイヤ組立体。
【請求項３】
前記入口調整装置が前記タイヤの前記サイドウォール内に取り付けられている、請求項１に記載の自動膨張式タイヤ組立体。
【請求項４】
前記入口調整装置の一部が前記タイヤの前記トレッド内に取り付けられている、請求項１に記載の自動膨張式タイヤ組立体。
【請求項５】
タイヤの前進回転方向またはタイヤの逆の回転方向のいずれかにおいて、前記空気管が前記タイヤフットプリントによって連続的に平らにされ、空気を前記空気通路に沿って送り込む、請求項１に記載の自動膨張式タイヤ組立体。
【請求項６】
出口装置と前記入口調整装置とがほぼ１８０度離れて環状の前記空気管に取り付けられている、請求項１に記載の自動膨張式タイヤ組立体。
【請求項７】
出口装置と前記入口調整装置とがほぼ３６０度離れて環状の前記空気管に取り付けられている、請求項１に記載の自動膨張式タイヤ組立体。
【請求項８】
前記空気管の断面形状が楕円である、請求項１に記載の自動膨張式タイヤ組立体。
【発明の詳細な説明】
【技術分野】
【０００１】
本発明は概して自動膨張式タイヤに関し、特に、そのようなタイヤ用のポンプ機構に関する。
【背景技術】
【０００２】
空気が自然に放散することによって、タイヤ圧は時間の経過と共に下がる。タイヤの自然状態ではタイヤは膨張していない。したがって、ドライバは、タイヤ圧を維持するように繰り返し努めなければならないか、さもなければ、低下した燃費、タイヤ寿命、そして車両制動およびハンドリングの低下した特性を経験するであろう。タイヤ圧が著しく低下したとき、ドライバに警告する圧力監視システムが提案されている。しかしながら、そのようなシステムは、タイヤを、推奨された圧力へと再度膨張させるように警告されたときにドライバがとる改善措置に依然として依存している。
【発明の概要】
【発明が解決しようとする課題】
【０００３】
したがって、時間の経過と共に発生するタイヤ圧の低下を、ドライバが介入する必要なしに補償するために、タイヤを自動的に膨張させる自動膨張機能をタイヤ内に組み込むことが望ましい。
【課題を解決するための手段】
【０００４】
本発明は第１の態様において、リムに取り付けられたタイヤを有し、タイヤは、タイヤキャビティと、第１、第２のタイヤビード領域からタイヤトレッド領域へとそれぞれ延びる第１、第２のサイドウォールを有する、自動膨張式タイヤ組立体を提供する。空気管がタイヤに接続され、空気通路を形成している。空気管は、タイヤのフットプリントに近い空気管部分の一部が環状の空気通路をほぼ閉じることができるように作用可能な柔軟な材料からなっている。入口調整装置は空気管の入口端に接続され、タイヤ内に取り付けられたインサートを含み、インサートは、タイヤキャビティ内に位置する第１の端と、タイヤを貫通して延びる第２の端、とを有し、インサートを貫通する孔を有している。圧膜がインサートの第１の端に入れられ、調整器胴体がインサートの第２の端に入れられ、調整器胴体が、第１の端から遠位端に延びる内部通路を有し、遠位端はインサートのキャビティ内へと延び、圧膜は、タイヤキャビティの圧力と外部の空気圧に応答する。圧膜は、タイヤ圧が、調整器を開き、閉じて、流れが調整装置に入るのを許し、または防ぐ設定値に達したとき、調整器胴体の遠位端と係合するように配置されている。
【０００５】
本発明は第２の態様において、リムに取り付けられたタイヤを有し、タイヤは、タイヤキャビティと、第１、第２のタイヤビード領域からタイヤトレッド領域へとそれぞれ延びる第１、第２のサイドウォールを有する、自動膨張式タイヤ組立体を提供する。第１および第２の空気管がタイヤに接続され、各空気管は空気通路を形成している。各空気管は、タイヤのフットプリントに近い空気管部分の一部が環状の通路をほぼ開き、閉じることができるように作用可能な柔軟な材料からなっている。入口調整装置は各空気管の入口端に接続され、タイヤのサイドウォール内に取り付けられた調整器胴体を含む。調整器胴体は、タイヤキャビティ内に位置する遠位端を有する外側ダクトを有し、ダクトは、タイヤキャビティおよび調整器胴体の内部チャンバと流体連通する内部孔を有する。内部チャンバは調整器胴体内の２つの対向する通路に接続され、これら通路は第１および第２の空気管の入口端にさらに接続されている。圧膜が調整器胴体の内部チャンバ内に取り付けられている。インサートは調整器胴体の内部チャンバ内に取り付けられ、内部キャビティを取り囲むフランジ端を有している。フランジ端は圧膜と係合可能で、フランジ端を流れから封止することができる。インサートは、１つ以上の空気穴を有する上面を有し、空気穴は上面から延び、内部キャビティと流体連通し、インサートは、内部キャビティと流体連通している２つの横導管をさらに有している。
【０００６】
本発明は第３の態様において、リムに取り付けられたタイヤを有し、タイヤは、タイヤキャビティと、第１、第２のタイヤビード領域からタイヤトレッド領域へとそれぞれ延びる第１、第２のサイドウォールを有する、自動膨張式タイヤ組立体を提供する。第１および第２の空気管がタイヤに接続され、各空気管は空気通路を形成し、各空気管は、タイヤのフットプリントに近い空気管部分の一部が環状の通路をほぼ開き、閉じることができるように作用可能な柔軟な材料からなっている。入口調整装置がタイヤ内に取り付けられ、入口調整装置は、タイヤキャビティ内に位置する遠位端を有する外側ダクトを有し、ダクトは、タイヤキャビティおよび入口調整装置の内部チャンバと流体連通する内部孔を有する。内部チャンバは、第１および第２の空気管の入口端に接続された、調整器胴体内の２つの対向する通路に接続されている。圧膜が入口調整装置の内部チャンバ内に取り付けられている。内部チャンバの壁は、圧膜と係合可能なフランジ端を有し、フランジ端は内部キャビティを取り囲み、入口調整装置は、１つ以上の空気穴を有する上面を有し、空気穴は上面から延び、内部キャビティと流体連通し、インサートは、内部キャビティと流体連通している２つの横導管をさらに有している。環状の空気管は、タイヤビード領域と、タイヤビード領域の半径方向内側のリムのタイヤ取り付け面との間に配置されてもよい。
【０００７】
本発明は第４の態様において、タイヤ内のぜん動ポンプと共に使用される入口圧力調整装置を提供する。圧力調整装置は、タイヤキャビティ内に位置する遠位端を有する外側ダクトを有する入口調整器と、入口調整器の内部チャンバ内に取り付けられた圧膜、を含み、ダクトは、タイヤキャビティおよび入口調整器の内部チャンバと流体連通する内部孔を有し、内部チャンバは、第１および第２の空気管の入口端に接続された、調整器胴体内の２つの対向する通路に接続され、圧膜は、入口調整器の内部チャンバに取り付けられており、内部チャンバの壁は、圧膜と係合可能なフランジ端を有し、フランジ端は内部キャビティを取り囲み、入口調整器は、１つ以上の空気穴を有する上面を有し、空気穴は上面から延び、空気穴は内部キャビティと流体連通し、インサートは、内部キャビティと流体連通している２つの横導管をさらに有している。
【０００８】
ここで、本明細書で使用される用語を定義する。
【０００９】
タイヤの「アスペクト比」は、パーセントとして表示するために、その断面高さ（ＳＨ）の、その断面幅（ＳＷ）に対する比に１００を掛けたものを指す。
【００１０】
「軸方向の」および「軸方向に」は、タイヤの回転軸線に平行な線または方向を指す。
【００１１】
「チェイファー」は、タイヤビードの外側の周りに配置された細いストリップ材料で、リムとの接触によるコードプライの摩耗と切断を防ぎ、リムの上でのたわみを分散させる。
【００１２】
「周方向の」は、軸方向に垂直な環状のトレッドの表面の周辺に沿って延びる線または方向を指す。
【００１３】
「赤道中央面（ＣＰ）」は、タイヤの回転軸線に垂直で、トレッドの中心を通過する平面を指す。
【００１４】
「フットプリント」は、速度がゼロで、標準負荷および標準圧力下で平坦な面を有する、タイヤトレッドの接触部位または接触領域を指す。
【００１５】
「インボード側」は、タイヤがホイールに取り付けられ、ホイールが車両に取り付けられたとき、タイヤの、車両に最も近い側を指す。
【００１６】
「横の」は軸方向を指す。
【００１７】
「横エッジ」は、標準の負荷で、かつタイヤに空気を入れた状態で測ったとき、軸方向に最も外側のトレッドの接触部位、すなわちフットプリントに接し、赤道中央面に平行な線を指す。
【００１８】
「総接触面積」は、トレッドの全周のまわりの横エッジ同士の間の接地するトレッド要素の総面積を、横エッジ同士間のトレッド全体の総面積で割ったものを指す。
【００１９】
「非方向性トレッド」は、前方移動の好ましい方向を持たないトレッドであって、トレッドパターンが移動の好ましい方向に確実に揃うようにするために特定の１つまたは複数のホイール位置において車両上に配置されることが要求されないトレッドを指す。逆に、方向性トレッドパターンは、特定のホイール位置を必要とする好ましい移動方向を有する。
【００２０】
「アウトボード側」は、タイヤがホイールに取り付けられ、ホイールが車両に取り付けられたときの、タイヤの、車両に最も遠い側を指す。
【００２１】
「ぜん動」は、閉じ込められた空気のような物質を管状の通路に沿って進ませる波状の収縮による動作を指す。
【００２２】
「半径方向の」および「半径方向に」は、タイヤの回転軸に半径方向に向かい、またはタイヤの回転軸心から半径方向に離れる方向を指す。
【００２３】
「リブ」は、少なくとも１つの周方向の溝および第２のそのような溝または横エッジのいずれかによって形成され、全深さの溝によっては横方向に分割されていない、トレッド上の、周方向に延びるゴムのストリップを指す。
【００２４】
「サイプ」は、トレッド表面を細分してトラクションを改善する、タイヤのトレッド要素に成形された小さい細長い隙間を指し、タイヤのフットプリント内に開いたままの溝とは反対に、サイプは一般に幅が狭く、タイヤのフットプリント内で閉じている。
【００２５】
「トレッド要素」または「トラクション要素」は、隣接した溝の形状を持たせることによって形成されるリブまたはブロック要素を指す。
【００２６】
「トレッド弧幅」は、トレッドの横エッジ同士間で測定されたトレッドの弧の長さを指す。
【図面の簡単な説明】
【００２７】
【図１】２つのぜん動ポンプ組立体を示す、タイヤとリムの組立体の等角図である。
【図２】図１のタイヤの側面図である。
【図３Ａ】ポンプ出口機構の拡大斜視図である。
【図３Ｂ】図３Ａのポンプ出口機構の断面図である。
【図４Ａ】タイヤが回転するときのポンプのタイヤキャビティへの作用を示す、タイヤ、リム、管、弁の側面を示す面である。
【図４Ｂ】タイヤが回転するときのポンプのタイヤキャビティへの作用を示す、タイヤ、リム、管、弁の側面を示す面である。
【図５Ａ】タイヤを切断した部分断面図である。
【図５Ｂ】リムに隣接するポンプ管の配置の拡大図である。
【図６Ａ】道路表面で負荷がかかっているタイヤを切断した部分断面図である。
【図６Ｂ】タイヤビード領域内で圧縮されている管を示す、図６Ａの拡大図である。
【図７】圧力調整器がタイヤ内に取り付けられているのが示された、タイヤとリムの組立体の拡大断面図である。
【図８】圧力調整器の斜視図である。
【図９】図８の圧力調整器の上面図である。
【図１０】図８の圧力調整器の拡大分解斜視図である。
【図１１】図８の圧力調整器の、線１１−１１に沿った拡大分解斜視図である。
【図１２】図８の圧力調整器の、線１２−１２に沿った拡大分解斜視図である。
【図１３Ａ】図８の圧力調整器の、閉位置における、線１２−１２に沿った断面図である。
【図１３Ｂ】図８の圧力調整器の、開位置における、線１２−１２に沿った断面図である
【図１４】図８の圧力調整器の、線１１−１１に沿った断面図である。
【図１５】図９の圧力調整器の、線１５−１５に沿った断面図である。
【発明を実施するための形態】
【００２８】
本発明を例により、図面を参照して説明する。
【００２９】
図１と図５を参照すると、タイヤ組立体１０は、タイヤ１２とぜん動ポンプ組立体１４とタイヤリム１６とを有している。タイヤ１２は、外側リムフランジ２２、２４に隣接して配置された一対のリム取り付け面１８、２０に従来の方法で取り付けられている。外側リムフランジ２２、２４は外側リム面２６を有している。リム体２８が、図示のように、タイヤ組立体を支持している。タイヤ１２は従来の構造と同じ構造で、対向するビード領域３４、３６からクラウン、すなわちタイヤトレッド領域３８へと延びる一対のサイドウォール３０、３２を有している。タイヤ１０とリム１６はタイヤキャビティ４０を取り囲んでいる。
【００３０】
図１、図２、図４に示されるように、ぜん動ポンプ組立体１４は、タイヤ１２のサイドウォール領域内、望ましくビード領域の近くに配置された通路４３内に取り付けられた第１および第２のポンプ４１、４２を含んでいる。空気通路４３は、加硫の間、タイヤのサイドウォール内に成形されるのが望ましく、かつ環状の形状であるのが望ましい。各ポンプ４１、４２は、入口装置４４によって互いに繋ぎ合わされた第１の端４１ａ、４２ａと、出口装置４６によって互いに繋ぎ合わされた第２の端４１ｂ、４２ｂと、を有している。各ポンプ４１、４２は、プラスティック、シリコン、エラストマー、またはゴム化合物のような、弾性があり、かつ柔軟な材料で作られた管体からなり、管が、外部の力を受けて平らな状態に変形し、そのような力がなくなると、断面が概ね円形の元の状態に戻る、繰り返しの変形サイクルに耐えることができる。管は、ここに記載された目的のために十分な量の空気を、作動可能に通過させるのに十分で、該管を、タイヤ組立体内の、後述する動作位置に配置するのを可能にする直径を有している。管は、円形の断面形状を有するのが望ましいが、楕円形状またはレンズ形状のような他の形状が使用されてよい。
【００３１】
図示されているように、入口装置４４と出口装置４６は、それぞれの位置において約１８０度離れて、２つの１８０度ポンプ４１、４２を構成している。入口装置と出口装置は互いに隣接して配置されて、単一の３６０度ポンプを構成してもよい。２７０度などのような他の変形例を用いても良い。出口装置４６は、ポンプ４１の出口端４１ｂに接続する第１のポート４８を有する胴体４７を有するコネクタである。第１のポート４８は出口ポート５２と流体連通している。出口ポート５２は、ポンプ端４１ｂがタイヤキャビティと流体連通するようにタイヤキャビティ内へと延びている。出口装置は、ポンプ４２の出口端４２ｂに接続する第２のポート５０をさらに有している。第２のポート５０は、ポンプ端４２がタイヤキャビティ４０と流体連通するようにタイヤキャビティ４０内に配置されている出口ポート５４に接続されている。図３Ｂは、各出口端５２、５４がポンプ内へ空気が逆流するのを防ぐ逆止弁５６、５８を有することをさらに示している。出口装置４６の出口端５２、５４は、該出口端がタイヤキャビティ４０と流体連通するようにタイヤキャビティ内へと延びている。
【００３２】
入口装置４４は図８から図１５に示されている。入口装置は両ポンプ４１、４２の流入量を調整するように働く。入口装置４４は、生のタイヤに成形され、それから硬化させられる外側カバー４５を含んでいる。外側カバー４５は、以下に詳しく説明する、ポンプ管４１、４２の入口と流体連通する２つの横穴４７を有している。カバーは、側壁５１と底壁５２によって形成された内側キャビティ５０をさらに有している。穴５３が底壁に設けられている。
【００３３】
調整器胴体５４がカバーの内側キャビティ５０に入れられている。調整器胴体５４は、調整器胴体に接続された第１の端５７と、内側キャビティ５０の穴５３に入れられた遠位端５９とを有する外側ダクト５６を有している。外側ダクトは、ダクトの遠位端５９がタイヤキャビティ４０と流体連通する十分な長さを有するようにサイズが決められている。外側ダクト５６の第１の端５７は、調整器胴体５４の内部の中心に配置されているのが望ましい内部チャンバ５８に接続されている。内部チャンバ５８は、２つの対向する通路６２に至る２つの対向する穴６０を有している。両通路６２はカバー４５内に位置する穴４７と一直線となるように位置決め可能である。
【００３４】
圧膜６４がチャンバ５８の底内に収容され、チャンバ壁６６の周りのリム６５によって支持されている。圧膜はディスク状で、ゴム、エラストマー、プラスティック、またはシリコンのような、ただしこれらに限定されない柔軟な材料で作られているのが望ましい。
【００３５】
インサート６８が、圧膜６４上のチャンバ５８内に配置されている。インサート６８は、１つ以上の空気穴７４を有する上フランジ面７０を有し、空気穴７４は、外部の空気が圧膜６４と流体連通するように、上面７０から下向きにインサート胴体７２を貫通している。空気穴はフィルタ８０を任意に有してよい。インサート６８は、圧膜６４と流体連通している内部キャビティ７６と、空気穴７４と、空気穴７４に対して横向き、すなわち垂直な２つの横導管７８を有している。横導管は内側キャビティ７６の各側に接続されている。内側キャビティ７６は、形状が環状であってよく、かつ圧膜と係合するように配置されたフランジ部分７７によって取り囲まれている。
【００３６】
入力圧力調整器４４の動作を次に説明する。圧膜は、タイヤキャビティ４０と流体連通しているダクト５６内の圧力によってタイヤキャビティ内の圧力を検知する。タイヤ圧が十分に高いとき、圧膜は、タイヤ圧に応答し、タイヤ圧が十分に高ければ、圧膜は、図１３Ａに示されるように、圧膜によってインサートのフランジ部分と強制的に係合させられ、内側キャビティ７６を封止する。圧膜はインサート６８のフランジ部分７７に着座し、キャビティ７６へ流れを遮断する。タイヤ圧が低下するにつれて、圧膜は、図１３Ｂに示すように、フランジ部分７７から離れ、空気が空気穴７４に、そしてキャビティ７６に流れ込む。図１５に示すように、キャビティ７６からの空気は横導管７８に入り、それから対向するチャンバ通路６２を通り、外側カバー４５の位置合わせされた穴４７を通り、各ポンプ４１、４２の入口端に入る。
【００３７】
図４Ａからわかるように、入口装置４４と出口装置４６は、円形の空気管４２と流体連通し、かつ概ね１８０度離れて配置されている。タイヤが回転方向８８に回転するにつれて、フットプリント１００が地面９８に対して形成される。圧縮力１０４がフットプリント１００からタイヤに向けられ、参照番号１０６で示すように、ポンプ４２の部分１１０を平らにするように働く。ポンプ４２の部分１１０が平らになることによって、平らになった部分１１０と出口装置４６の間にある空気の一部が、矢印８４で示される方向に、出口装置４６に向かって押しやられる。
【００３８】
タイヤが地面９８に沿って方向８８に回転し続けるにつれて、ポンプ管４２は、タイヤ回転方向８８と逆の方向９０に、部分ごとに連続的に平らにさせられ、すなわち押しつぶされる。ポンプ管４２が部分ごとに連続的に平らになることによって、平らにさせられた部分と出口装置４６の間に位置する空気柱がポンプ４２内で方向８４に出口装置４６へと送り込まれる。
【００３９】
タイヤが方向８８に回転すると、平らにされた管の部分は、図４Ａに示すように、方向９０にポンプ管４２に沿って入口装置４４に流れ込む空気９２によって、連続的に、再度満たされる。入力装置４４からの、方向９０における空気の流入は、タイヤ回転方向８８で示される反時計周りに回転する出口装置４６がタイヤフットプリント１００を通過するまで続く。
【００４０】
図４Ｂは、そのような位置におけるぜん動ポンプ組立体１４の向きを示している。示された位置では、管４１は、参照番号１０６で示されるように、圧縮力１０４によってタイヤフットプリント１００と対向する部分ごとに連続的に平らにされ続ける。空気が時計方向９４に入力装置４４に送り込まれ、そこで空にされ、すなわち排出される。排出空気９６の入力装置４４からの通過は内部フィルタ８０を通り、該フィルタは、該フィルタから多孔質媒体内の蓄積された破片または粒子を取り除く働きをする。送り込まれた空気が入力装置４４から排出されると、出口装置４６は閉位置にあり、空気はそこからタイヤキャビティ４０へ流れない。入口装置４４が（図４Ａに示すように）タイヤフットプリント１００を通過するまでタイヤが反時計方向８８にさらに回転すると、出口装置４６への空気流が再開し、送り込まれた空気がタイヤキャビティ４０へ流出させられる（矢印８６）。
【００４１】
図４Ｂは、管４２が、タイヤが方向８８に回転するときに、部分１０２、部分１０２’、部分１０２’’と、部分ごとに平らにされることを示している。したがって、圧搾された、すなわち平らにされた管部分の前進が、タイヤ回転方向８８と逆である時計周り方向に進むことがわかる。部分１０２がフットプリント１００から離れるにつれて、タイヤ内のフットプリント領域からの圧縮力はなくなり、部分１０２は、部分１０２が通路４３からの空気で再度、満たされるときの平らにされていない状態に弾性的に自由に再構成することができる。平らにされていない元の構成では、管４２の部分は断面が概ね円形である。
【００４２】
上記のサイクルは、タイヤの回転ごとに繰り返され、各回転の半分では送り出された空気はタイヤキャビティ４０に行き、各回転の半分では送り出された空気は入口装置に戻されてフィルタを自動的に清掃する。タイヤ１２の回転方向８８は、図４Ａ、図４Ｂでは反時計回りに示されているが、本発明のタイヤ組立体とそのぜん動ポンプ組立体１４は、番号８８で示されたのと反対の（時計回りの）回転方向において同様に機能する。したがって、ぜん動ポンプは双方向であり、前進する回転方向または逆の回転方向に動いているタイヤ組立体についても等しく機能する。
【００４３】
ぜん動ポンプ組立体１４の位置は図５および図６からわかる。一実施形態では、ぜん動ポンプ組立体１４は、チェイファー１２０内でリムフランジ面２６の半径方向外側にタイヤサイドウォールに配置されている。そのように配置されているので、空気管４２はタイヤのフットプリント１００から半径方向内側にあり、したがって、上記したように、タイヤのフットプリント１００から向けられた力によって平らにされるように配置されている。フットプリント１００と向き合う部分１１０は、管部分をリムフランジ面２６に押圧する、フットプリント１００からの圧縮力１１４によって平らになる。管４２の位置は、ビード領域３４におけるタイヤのチェイファー１２０とリム面２６との間に、具体的に示されているが、これに限定されず、サイドウォールまたはトレッド内のどこでもタイヤの任意の領域に配置されてもよい。ぜん動ポンプ空気管４２の直径の大きさは、リムフランジ面２６の外周にわたるように選択されている。
【００４４】
上記したことから、本発明は、円形の空気管４２がタイヤのフットプリント１００内で部分ごとに平らになって閉じる、自動膨張式タイヤ用の双方向ぜん動ポンプを提供することが理解されるであろう。空気入口装置４４はフィルタ８０を含み、自動清掃するものであってよい。ぜん動ポンプ組立体１４は、タイヤのどちらの回転方向下でも空気を送り出し、回転の半分では空気をタイヤキャビティ４０に送り出し、回転の他の半分では空気を入口装置４４（フィルタ８０）から戻す。ぜん動ポンプ組立体１４は、システム故障検出器として働く従来構造の補助的タイヤ圧監視システム（ＴＰＭＳ）（不図示）と共に使用されてよい。ＴＰＭＳは、タイヤ組立体の自動膨張システムの何らかの故障を検出し、そのような状態をユーザに警告するのに使用されてよい。
【００４５】
本発明の変形が、ここに記載した説明を考慮して可能である。ある代表的な実施形態と詳細な説明を、本発明を例示する目的で示したが、様々な変更と修正が、本発明の範囲から外れることなくここでなされ得ることが当業者にとって明らかであろう。したがって、次の添付の特許請求の範囲によって規定される本発明の、意図された全範囲内にある、記載された特定の実施形態において変更がなされ得ることが理解されるべきである。
【図１】
0005937462.tif 000002
【図２】
0005937462.tif 000003
【図３Ａ】
0005937462.tif 000004
【図３Ｂ】
0005937462.tif 000005
【図４Ａ】
0005937462.tif 000006
【図４Ｂ】
0005937462.tif 000007
【図５Ａ】
0005937462.tif 000008
【図５Ｂ】
0005937462.tif 000009
【図６Ａ】
0005937462.tif 000010
【図６Ｂ】
0005937462.tif 000011
【図７】
0005937462.tif 000012
【図８】
0005937462.tif 000013
【図９】
0005937462.tif 000014
【図１０】
0005937462.tif 000015
【図１１】
0005937462.tif 000016
【図１２】
0005937462.tif 000017
【図１３Ａ】
0005937462.tif 000018
【図１３Ｂ】
0005937462.tif 000019
【図１４】
0005937462.tif 000020
【図１５】
0005937462.tif 000021